(57)【特許請求の範囲】
【請求項１】
球形表面または疑似球形表面を有する対象の空間的位置をモニタリングし、該対象の運動を追跡するためのデバイスであって、
該デバイスは、
少なくとも１つの光放射要素を備える投射要素であって、該投射要素が、光の少なくとも４つのスポットを該表面に投射し、該少なくとも４つのスポットのうち少なくとも２つが、該表面上で同一平面上にない、投射要素と、
該表面上での光の該少なくとも４つのスポットの時間的に複数の画像フレームを捕捉するように適合された画像捕捉要素と、
該画像捕捉要素に作動可能に連結された計算要素であって、該計算要素は、（ｉ）該画像捕捉要素から画像を受信し、（ｉｉ）各画像フレーム中の各スポットを位置決めし、（ｉｉｉ）各画像フレームに対して画像化スポットにより決定される球の中心を同定するように適合されている、計算要素と
を備える、デバイス。
【請求項２】
前記表面上の光の画像化スポットの各々が、ｘ軸、ｙ軸およびｚ軸の各々について規定されている、請求項１に記載のデバイス。
【請求項３】
前記投射要素が、少なくとも４つの光放射要素を含み、該投射要素が、光の４つのスポットを前記表面に投射する、請求項１に記載のデバイス。
【請求項４】
前記投射要素が、６個の光放射要素を含み、該投射要素が、少なくとも４つの同定可能な光のスポットを前記表面に投射する、請求項１に記載のデバイス。
【請求項５】
前記少なくとも１つの光放射要素が、白熱光源である、請求項１に記載のデバイス。
【請求項６】
前記少なくとも１つの光放射要素が、レーザーである、請求項１に記載のデバイス。
【請求項７】
前記光放射要素が、レーザーである、請求項３に記載のデバイス。
【請求項８】
前記光放射要素が、レーザーである、請求項４に記載のデバイス。
【請求項９】
前記光の少なくとも４つのスポットが、角膜表面に投射される、請求項１に記載のデバイス。
【請求項１０】
前記光の少なくとも４つのスポットが、最初の位置における前記角膜表面の軸に対して垂直の平面に固定された光源から投射される、請求項９に記載のデバイス。
【請求項１１】
前記角膜表面に投射される光の少なくとも４つのスポットが、該角膜表面の虹彩領域と比較して小さな表面積を有し、さらに、各光スポットが、基点を有するビームにおいて、該角膜表面に投射され、該基点が、該基点から該角膜表面までの最大距離を提供する、請求項１０に記載のデバイス。
【請求項１２】
前記角膜表面上の各光スポットが、該角膜表面の中心から該角膜の縁の境界までの距離の約１／２と２／３との間の距離に位置する、請求項１１に記載のデバイス。
【請求項１３】
角膜表面上の各光スポットが、放物面の表面形状を有する、請求項１に記載のデバイス。
【請求項１４】
前記画像捕捉要素が、カメラである、請求項１に記載のデバイス。
【請求項１５】
前記少なくとも４つの光放射要素の任意の選択された対を制御するための列切り換えシステムをさらに備える、請求項３に記載のデバイス。
【請求項１６】
前記６個の光放射要素の任意の選択された対を制御するための列切り換えシステムをさらに備える、請求項４に記載のデバイス。
【請求項１７】
前記計算要素が、各画像フレーム中の各球面が基準中心の周りで同心であるような様式で、各画像を互いに位置決めするようにさらに適合される、請求項１に記載のデバイス。
【請求項１８】
前記デバイス自体が、角膜トポグラフィーデバイスの要素である、請求項１に記載のデバイス。
【請求項１９】
移動している球形対象表面または疑似球形対象表面の複数の画像を位置決めするための画像位置決めシステムであって、
該システムは、
少なくとも４つの別個の位置において、該球形対象表面または疑似球形対象表面を少なくとも４つの対応する光スポットで照射するための、固定された相対位置における少なくとも４つのレーザースポットデバイスであって、少なくとも１つの位置が、少なくとも３つの他の位置と同一平面上にない、レーザースポットデバイスと、
該球形対象表面または疑似球形対象表面、ならびに該少なくとも４つの照射された位置の時間的に複数の画像フレームを捕捉するための画像ディテクターと、
該画像ディテクターに作動可能に接続された、ソフトウェアを備える計算要素であって、該計算要素は、捕捉された画像フレームに基づいて、該球形対象表面または疑似球形対象表面の中心位置（ｘ０，ｙ０，ｚ０）、および半径ｒを決定し、該決定された中心位置（ｘ０，ｙ０，ｚ０）、および半径ｒに基づいて、該複数の画像フレームの各々を該複数の画像フレームの他のものに対して位置決めする、計算要素と
を備える、システム。
【請求項２０】
前記少なくとも４つのレーザースポットデバイスを、固定された相対位置に維持するためのハウジングをさらに備える、請求項１９に記載のシステム。
【請求項２１】
各レーザースポットデバイスとその対応する照射位置との間の距離が、最大距離である、請求項１９に記載のシステム。
【請求項２２】
６個の別個の位置における前記球形対象表面または疑似球形対象表面を６個の対応する光スポットで照射するための、固定された相対位置における６個のレーザースポットデバイスを備え、少なくとも１つの位置が、５個の他の位置に対して同一平面上にない、請求項１９に記載のシステム。
【請求項２３】
前記レーザースポットデバイスおよび付随する６個の光スポットが、３つの列対にグループ化される、請求項２２に記載のシステム。
【請求項２４】
前記レーザースポットデバイスの任意の選択された対を制御するための列切り換えシステムをさらに備える、請求項２３に記載のシステム。
【請求項２５】
前記レーザースポットデバイスの任意の２つの選択された対が、全ての画像フレーム捕捉の間に、前記表面を照射する、請求項２４に記載のシステム。
【請求項２６】
各光スポットが、前記対象表面からの拡散反射である、請求項１９に記載のシステム。
【請求項２７】
前記少なくとも４つの別個の位置のどれもが、水平方向でも垂直方向でも同一直線上にない、請求項１９に記載のシステム。
【請求項２８】
前記６個の別個の位置のどれもが、水平方向でも垂直方向でも同一線上にない、請求項２２に記載のシステム。
【請求項２９】
各レーザースポットデバイスが、いずれの他の経路配向とも異なる、前記対象表面の基準軸に対して角度のある配向を有する経路に沿って、その個々の光スポットを投射する、請求項１９に記載のシステム。
【請求項３０】
前記動いている球形対象表面または疑似球形対象表面が、患者の眼の角膜表面である、請求項１９に記載のシステム。
【請求項３１】
前記システム自体が、眼用診断システムの要素である、請求項１９に記載のシステム。
【請求項３２】
前記眼用診断システムが、角膜トポグラフィー測定システムである、請求項３１に記載のシステム。
【請求項３３】
前記角膜トポグラフィー測定システムが、スリットスキャンシステムである、請求項３２に記載のシステム。
【発明の詳細な説明】
【技術分野】
【０００１】
（発明の分野）
本発明は、一般に、診断用画像処理に関し、より詳細には、球形対象表面の位置および運動の感知のためのデバイスおよびシステム、ならびにこのような運動を検出し、そして対象表面の一連の時間的画像フレームを位置決めするための方法に関する。
【背景技術】
【０００２】
（関連分野の説明）
任意の眼手順における第１の工程は、眼の病理を診断し、そして／またはその構造を特徴付けすることである。人の眼の視力低下を矯正するための屈折矯正手術の分野において、眼のトポグラフィーおよびパキメトリー（ｐａｃｈｙｍｅｔｒｙ）ならびに低視力を生じる異常の性質および大きさについての正確な情報を集めることが重要である。この診断情報の収集は、代表的に、患者をいくつかの型の機器と係合し、そして標的を確実に観察する必要があり、一方で、診断情報は、通常、１秒以下〜数秒の範囲の時間間隔の間に撮った複数のビデオ画像により取得される。これは、眼の衝動性眼球運動および測定手順の間に人が凝視を変える時間に対して、相対的に長い時間フレームである。随意のまたは不随意の眼の運動は、特定の測定パラメーターの不正確な記録を引き起こし得、そして得られる視力矯正用途が最適ではなくなる。
【０００３】
この点において、本発明者らは、診断手順の間、眼の運動を補償する方法の必要性を認識している。本発明は、患者の眼の運動のモニタリングおよび補償を参照して記載されるが、本明細書中に開示される装置および方法は、球形対象表面または疑似球形対象表面を有する任意の対象の運動のモニタリングおよび補償に適用されることが理解される。
【発明の開示】
【課題を解決するための手段】
【０００４】
（発明の要旨）
本発明の実施形態は、球形表面または疑似球形表面を有する対象の運動の空間的位置をモニタリングするため、およびこの対象の運動を追跡するためのデバイスに関する。好ましい対象は、人の眼の角膜である。このデバイスは、投射要素を備え、この投射要素は、光の少なくとも４つのスポットを表面上に投射するための少なくとも１つの光放射要素を利用し、ここで、この表面上のスポットのうちの少なくとも２つは、同じ平面上にあってはならない。さらに、画像捕捉要素は、対象表面の画像の一連のリアルタイムビデオフレーム、およびこの表面上で照射された光スポットを捕捉する。計算要素は、画像捕捉要素と共に作動し、そして画像捕捉要素から画像を受信し、各画像フレームにおいて各照射光スポットを位置決めし、そして各画像フレームにおける画像スポット間の関係を決定する。このデバイスは、好ましくは、４つの光放射要素を有し、この光放射要素は、４つの対応する光スポットを表面に投射する；より好ましくはこのデバイスは、６個の光放射要素を備え、これらの光放射要素は、６個の対応する光スポットを表面の一部に照射する。本発明のデバイスの実施形態の好ましい局面によると、列／切り換え要素は、６個の光放射要素と共に使用され、これによりこれらの６個の光放射要素のうち４個が、任意の所定の瞬間に角膜表面上に光スポットを形成し得る。このことは、競合光源が、特定の用途（例えば、角膜パキメトリーを測定するための光のスキャンスリット）において使用される場合に有用である。競合光源を使用しない用途（例えば、光学コヒーレンストモグラフィー（ＯＣＴ）およびＢ／Ｃスキャン）は、４つの光スポットしか必要としない。光源のタイプは、重要ではなく、これには、例えば、レーザーダイオード、付随のフォーカシングオプティクスを有するすスーパー発光ダイオード、または光源が対象の表面に焦点合わせするのを可能にする光学的付随物を有する白熱光源のような光源が挙げられ得る。これらの光源は、対象表面の基準軸に対して垂直の平面と同一平面配置で配置され、この対象表面の基準軸は、記載を明瞭にするために、好ましくは、モニタリングされる眼の角膜の光軸である。光源の各々は、眼の中心から縁境界までの距離の約１／２〜２／３のいずれかの場所であるパターンで、被験体の眼の角膜に定められる。この投射パターンは、角膜の中心が、光散乱を含まないままであるようにし、このことは、角膜の中心を観察するかまたは被験体の眼の虹彩を通して観察することが望まれる場合、重要であり得る。対象表面に光スポットを形成する光ビームの各々は、角膜に衝突する場合に、角膜の断片化された細胞構造に起因して、拡散して散乱する。この散乱は角膜の表面上の光の小さな散乱点として見える。これらのスポットの互いの関係が、画像化され、次いで、診断手順の各ビデオフレームの間で、捕捉される。空間で眼の運動を追跡することを可能にするのは、このスポットの関係である。
【０００５】
空間における球の中心は、４つの同一直線上にない点が、３つ全ての軸（ｘ、ｙおよびｚ）で規定される場合、これらの点によって数学的に決定され得る。これらの４つの点は、球の表面を規定する。球がこれらの点の位置によって決定され得、そして光の４つの点が与えられ、そして基準と比較される場合、この球の相対位置が決定され得る。従って、コントロール画像が、このような比較のために、本発明に従って確立される。球の画像と４つの入射光ビームとが、画像化デバイスによって捕捉され、そして得られた画像が、これらのスポットを位置決めするために処理される場合、連続する画像スポットの間の比較は、スポット位置の差異を生じ、各フレームを用いて、患者の眼の運動の振幅および方向を捕捉する。各画像が捕捉され、そしてスポットが同定されると、画像フレームの時間的順序における各画像の補償ベクトルが構築される。対象が前に動く場合、画像の間で、次の画像におけるスポットは、さらに離れて広がる。目的が上もしくは下、または左もしくは右に動く場合、スポットは、この運動に対して非対称に動く。
【０００６】
画像捕捉システムがこれらの画像を捕捉した後に、これらの画像は計算デバイスに送信される。この計算デバイスは、各画像上の各スポットを位置決めする。次いで、この計算デバイスは、各フレームにあるスポットの各々の運動を比較し、そして画像を拡大縮小、回転および移動させて、正確に再構築する。補償ベクトルが作成され、そして各フレームを基準の均一な中心フレームに論理的にシフトさせるために使用され、従って、ビデオ画像捕捉プロセスの間に、光源の任意の運動を補償する。計算デバイスは、画像を再構築し、同時に、運動の変化を補償し、そして画像を互いに対して再位置決めし、ここで各球形表面は、中心上で同心円状である。このことは、３つ全ての軸に沿った運動補償を可能にする。
【０００７】
本発明は、同一直線上追跡システムとは別個の利点を提供する。例えば、一旦、光散乱スポットが表面画像上で同定されると、補償ベクトルが迅速に作成される。本発明に従う方法論は、独特であり、数値的であり、かつ容易に確認される。光スポットは同一直線上にないので、各画像は、捕捉された眼に対して固有である。本発明は、運動を示すために光反射に頼らず、従って、ほとんど反射しない角膜が容易に追跡され得る。
【０００８】
本発明のこれらおよび他の利点および目的は、以下の詳細な説明から容易に明らかとなる。しかし、詳細な説明および特定の実施例は、本発明の好ましい実施形態を示すものの、例示目的のみのために示されることが理解されるべきである。なぜなら、本発明の概念および範囲内の種々の変更および改変が、本明細書中の記載および図面、ならびに特許請求の範囲に基づいて当業者に明らかとなるからである。
【０００９】
（発明の好ましい実施形態の詳細な説明）
本発明の実施形態は、添付の図面を参照して、以下に詳細に記載され、これらの図において、同じ参照番号は、全体にわたって、類似の参照を表す。
【００１０】
図１は、患者の眼の角膜表面１０４（これは、定義によれば、球形または擬似球形である）の空間的位置をモニタリングし、そして運動を追跡するための、システム１００の好ましい実施形態を示す。図１はまた、眼の角膜のような、球形または擬似球形の対象の表面の複数の画像を位置合わせするための、画像位置合わせシステム１００を示す。システムおよびデバイス１００は、一般に、投影構成要素１０２（図２に示されるような）、画像捕捉構成要素１２０、および画像捕捉構成要素１２０に作動可能に接続された計算構成要素１６０を備える。図２ａおよびｂに示されるように、投影構成要素１０２は、少なくとも１つの発光要素１１０を備え、そしてこの投影構成要素は、少なくとも４つの光のスポット１１２ａ〜ｄを、（球形または擬似球形の）表面１０４に投影する。スポット１１２のうちの少なくとも２つは、図２（ａ）において１１１で示されるように、表面上で同一平面内にない。このことは、ｚ方向に沿って表面１０４の運動および位置を追跡するための、必要条件である。表面１０４上の少なくとも３つの残りの光のスポットは、この表面のｘ−ｙ運動を追跡するために必要である。
【００１１】
一般に、三次元空間中、４つの点（ｘ１，ｙ１，ｚ１）、（ｘ２，ｙ２，ｚ２）、（ｘ３，ｙ３，ｚ３）、（ｘ４，ｙ４，ｚ４）にが与えられると、これらの点をその表面に有する球の方程式は、以下の行列式を解くことによって、見出される：
【００１２】
【数１】
0004499574.tif 000002
この行列式が、第１行を使用する小行列による展開を使用して見出される場合、この球の方程式は、以下のように書かれ得る：
【００１３】
【数２】
0004499574.tif 000003
小行列Ｍｉｊの項において、
１．１  （ｘ２＋ｙ２＋ｚ２）Ｍ１１−ｘＭ１２＋ｙＭ１３−ｚＭ１４＋Ｍ１５＝０
（ｘ０，ｙ０，ｚ０）を中心とする、半径ｒの球の一般的な方程式は、以下である：
１．２  （ｘ−ｘ０）２＋（ｙ−ｙ０）２＋（ｚ−ｚ０）２＝ｒ２
方程式１．２を、以下のように書き換える：
１．３  ｘ２−２ｘｘ０＋ｘ０２＋ｙ２−２ｘｘ０＋ｙ０２＋ｚ２−２ｚｚ０＋ｚ０２−ｒ２＝０
１．３を並べ替えて、以下を得る：
１．４  ｘ２＋ｙ２＋ｚ２−２ｘｘ０−２ｘｘ０−２ｚｚ０＋ｘ０２＋ｙ０２＋ｚ０２−ｒ２＝０
方程式１．１を並べ替えて、以下を得る：
１．５  （ｘ２＋ｙ２＋ｚ２）−ｘＭ１２／Ｍ１１＋ｙＭ１３／Ｍ１１−ｚＭ１４／Ｍ１１＋Ｍ１５／Ｍ１１＝０
方程式１．４および１．５からの項を同等とすることによって球の中心および半径が求まる。すなわち：
ｘ０＝０．５Ｍ１２／Ｍ１１
ｙ０＝０．５Ｍ１３／Ｍ１１
ｚ０＝０．５Ｍ１４／Ｍ１１
ｒ＝（ｘ０２＋ｙ０２＋ｚ０２）−（Ｍ１５／Ｍ１１）
これらは、Ｍ１１＝０については解けないことに注目のこと。このことは、二次の項（ｘ２、ｙ２、ｚ２）が存在しないことに対応する。この場合、球を取り扱わず、そして点は、同一平面または３つが同一線上である。
【００１４】
本発明による、一般化したデバイスの実施形態は、図２ｂを参照して理解され得る。４つの発光要素１１０ａ〜ｄが、ハウジング１１３内で同一平面内に配置されている。発光要素１１０は、好ましくは、対象表面１０４に投影される、細い、平行化された光のビームを発光する、ピンレーザーである。示されるように、対象表面１０４は、中心１７４、虹彩境界１７０、および角膜縁境界１７６を有する角膜表面を表す。図２ｂおよび図６に示されるように、発光要素１１０と、角膜表面上のその対応する光スポット１１２との間の距離は、極値経路（ｅｘｔｒｅｍｕｍ  ｐａｔｈ）４００を採る；すなわち、ハウジング１１３の右下の位置の発光要素１１０ａは、対象表面の左上部分の光スポット１１２ａを形成する経路で、そのビームを投影する。同様に、左上の発光要素１１０ｄは、対象表面の右下部分の光スポット１１２ｄを形成するように、ビーム経路を投影する。これらの光源と照射スポットとの間の最大距離の極値経路は、図６に示されるような、表面に当たるビームの鋭角に起因して、眼上に、放物線の形状の光スポットを作製する。さらに、ビーム経路の好ましい角度配向は、推定の反射よりむしろ、角膜（または他の画像化されている表面）の間質細胞から拡散によって反射されるスポットを作製する。これらは、対象表面の任意のｘ方向運動、ｙ方向運動、またはｚ方向運動に対する、それらの非常に運動感受性の性質による。好ましくは、角膜表面上に形成される各光スポットは、例えば、拘束された瞳孔領域に対して小さく、そして図２ｂに示されるように、眼の角膜の中心位置１７４から約１／２〜約２／３と、角膜縁境界１７６との間に位置する。
【００１５】
操作の際に、角膜表面は、拡散により反射される放物線形状の光スポットによって照射され、そして診断の時間間隔にわたって、画像捕捉デバイス（例えば、ビデオカメラ）が、時間的に連続的な、角膜表面およびその表面上の光スポットの画像を捕捉する。単一の画像フレームは、当該分野において周知の方法によって画像処理されて、調査中の対象についての球状参照フレームを確立し得る。各画像が捕捉され、そしてスポットが同定されるにつれて、フレームの時間的連続物における各画像についての補償ベクトルが構築される。試験の間の眼の自発的運動および非自発的運動に起因して、角膜表面上の光スポットの相対位置はシフトし、そして新たな位置が、各連続的な画像フレームにおいて捕捉される。眼の運動が空間において追跡されることを可能にするものは、スポットのこの関係である。次いで、各画像において構築された補償ベクトルが、各画像フレームを均一な参照の中心フレームに論理的にシフトさせるために使用され得、これによって、ビデオ画像捕捉プロセスの間の光源の任意の運動を補償する。画像の受信、各画像フレームにおけるスポットの位置決め、および各画像フレームにおける画像スポットの間の関係の決定は、計算構成要素１６０およびその付随するソフトウェアによって達成される。一旦、球表面の中心位置ｘ、ｙ、ｚ、および半径ｒが、各画像フレームに対して決定されると、各画像フレームは、コントロール画像について参照され得、そして画像は、互いに対して位置合わせされて、より正確な診断測定を生じる。
【００１６】
図１に関して言及される、本発明の好ましい局面において、投影構成要素１０２は、６つのピンレーザー１１０ａ〜ｆを備え、これらは、６つの対応するビームを角膜表面１０４に投影して、６つの対応する拡散光スポット１１２ａ〜ｆを、角膜表面上に形成する。図３は、このデバイスの極値経路構成（図２ａに示される４ビーム系に類似し、ハウジング１１３の上中央に位置する発光要素１１０ｂが追加されている）が、角膜表面上の下中央領域１１２ｂに投影し、そしてハウジング１１３の下中央の発光要素１１０ｅが、角膜表面上の上中央のスポット１１２ｅにそのビームを投影することを示す。図４に示されるように、光スポット１１２ａ〜ｆは、光のスポットの実質的に垂直な３つの対１１２ａ、ｄ；１１２ｂ、ｅ；および１１２ｃ、ｆとして配置される。
【００１７】
６つの発光要素を有することの利点は、以下のように説明される。角膜の後表面および前表面の局所解剖学および位置は、屈折手術の領域における価値のある診断測定を提示する。特定の診断デバイスが、この情報を獲得するために使用され得、そしてＯＣＴデバイスおよび超音波デバイス（特定の走査アルゴリズムを提供する）を備える。これらのデバイスの作動原理に起因して、診断測定の間の眼の位置および運動をモニタリングするためには、本明細書中に記載されるように、４つのみの光スポットを用いて角膜表面を照射することで、十分である。これらの型の機器の使用に伴う、当業者によって理解される欠点が存在する。これらの欠点は、本発明に密接には関連せず、従って、さらに詳細に議論される必要はない。代替の測定方法論は、本細書中で競合光源と称されるものを使用してそれらの測定データを獲得するデバイスにおいて、実施される。例えば、Ｏｒｂｓｃａｎ（登録商標）トポグラフィーマッピングシステム（Ｂａｕｓｃｈ  ＆  Ｌｏｍｂ  Ｉｎｃｏｒｐｏｒａｔｅｄ，Ｒｏｃｈｅｓｔｅｒ，Ｎｅｗ  Ｙｏｒｋ）は、レーザーによって発生する光のスリットを利用し、これは、眼にわたって前後に走査され、そしてこの眼の種々の表面から反射される。このことは、図４に図式的に示されており、ここで、３つの連続的な画像１５０’、１５０”、および１５０’’’が示されている。最も左の画像から開始して、角膜表面１０４は、列Ａ、ＢおよびＣとして表される、６つの光スポット１１２を用いて示される。列Ａは、光スポット１１２ａ、１１２ｄの対からなり、これらは、示されるように、垂直に一緒に整列している。同様に、列Ｂは、光スポットの対１１２ｂ、１１２ｅからなり、そして列Ｃは、光スポットの対１１２ｃ、１１２ｆからなる。レーザー光スリット３００は、眼の右側で開始して、図１５０’において、角膜表面上に投影される。レーザースリットは、角膜の前表面（線３００の後ろ）から反射し、そしてまた、曲線３０２として示されるように、角膜後表面から反射する。レーザースリットが角膜の表面上を右から左へと走査されるにつれて、いくつかの地点において、レーザースリット３００が、列Ｃの垂直に配向した光のスポット１１２ｃ、１１２ｆと共に整列することが見られ得る。フレーム１５０”によって示されるような、いくらか後の時点において、レーザースリット３００は、光スポット１１２ｂ、１１２ｅを含む列Ｂを覆い隠す（すなわち、列Ｂと競合する）。図１５０’’’に示されるように、レーザースリットがその走査を完了すると、列Ａの照射スポットは覆い隠される。競合光源３００に対する補償のために、列切り換え制御（図示せず）がこのデバイスに組み込まれ、その結果、任意の列または光スポットの対が、競合光源によって覆い隠される場合に、オフに切り替えられ得る。この様式で、ビデオ画像捕捉持続時間全体の間に、角膜表面を照射する、少なくとも４つの光スポットが存在する。
【００１８】
この実施形態の代替の好ましい局面は、図５に関して示される。図５において、２つの光スポットも、いずれの対（列）の光スポットも、垂直に共整列していない。従って、右から左へと移動するレーザースリット３００が、最初に光スポット１１２ａを覆い隠す場合、列Ａは不活性化され、その結果、列ＢおよびＣからの４つの光のスポットは、角膜表面を照射し続ける。同様に、次に覆い隠される光スポットは、１１２ｆであり、この光スポットが、競合レーザースリット３００によって覆い隠される場合、列ＡおよびＢが眼を照射している状態で、列Ｃ（１１２ｆ、ｃ）は、オフにされる。
【００１９】
代替の局面において、発光要素から角膜表面上の対応する光スポットへの各伝搬経路の角度配向は、他の全ての伝播配向と異なり、角膜表面を不規則な様式で照射し得る。
【００２０】
本発明を説明するために、種々の有利な実施形態が選択されたが、変化および変更が、添付の特許請求の範囲に定義されるような本発明の範囲から逸脱することなくなされ得ることが、当業者によって理解される。
【図面の簡単な説明】
【００２１】
【図１】図１は、本発明の実施形態に従う６光要素投射要素および画像捕捉要素の概略図である。
【図２】図２ａは、本発明の実施形態に従う極値光投射経路の側面図である。図２ｂは、本発明の実施形態に従う４ビーム投射の前面図である。
【図３】図３は、図１ｂの図と類似した図であり、本発明の実施形態に従う対称６ビーム投射を示す。
【図４】図４は、図２に例示される設定において生じるような、列／切り換え光制御システムの３連の図である。
【図５】図５は、図３の図に類似した図であり、本発明の実施形態に従う６個の光スポットの代替の配置を示す。
【図６】図６は、本発明の実施形態に従う、対象表面への光伝達の概略図である。
【図１】
0004499574.tif 000004
【図２Ａ】
0004499574.tif 000005
【図２Ｂ】
0004499574.tif 000006
【図３】
0004499574.tif 000007
【図４】
0004499574.tif 000008
【図５】
0004499574.tif 000009
【図６】
0004499574.tif 000010